(57)【要約】【課題】使用者の接近、離隔を確実に検知することができ、構造の簡素化・小型化を図ることができる衛生洗浄装置を提供する。【解決手段】着座検知用投光部と、人体検知用投光部と、着座検知用投光部および人体検知用投光部の反射光を受ける受光部とを有する円筒形状のセンサユニット１１を、本体部２のケーシング２ａ内に備えた衛生洗浄装置において、センサユニット１１の検知範囲を移動させるため、便蓋の開閉動作軸６と連動して回動する伝達軸２６および／または便座の開閉動作軸と連動して回動する伝達軸２７が、それぞれギア２６ａ，２７ａおよび扇形ギア３６ａ，３７ａを介して支軸３６，３７を所定角度だけ回動させる機構を設けた。これにより、使用態様に応じてセンサユニット１１が所定角度回動し、その検知範囲が変化する。【選択図】  図５
2007082708.tif 000002
【特許請求の範囲】
【請求項１】
人体検知用投光部と、前記人体検知用投光部の反射光を受ける受光部とを有するセンサユニットをケーシングに備えた衛生洗浄装置において、前記センサユニットの検知範囲を移動させるため、前記センサユニットが便蓋の開閉動作および／または便座の開閉動作と連動して回動することを特徴とする衛生洗浄装置。
【請求項２】
前記便蓋の開閉動作軸および／または前記便座の開閉動作軸と連動して前記センサユニットを回動させる伝達軸を設けたことを特徴とする請求項１記載の衛生洗浄装置。
【請求項３】
前記センサユニットの回動範囲を、前記便蓋の単独開閉、前記便座の単独開閉、前記便座および前記便蓋の同時開閉のそれぞれの開閉動作態様に対応させて設定したことを特徴とする請求項２記載の衛生洗浄装置。
【請求項４】
前記センサユニットに、当該衛生洗浄装置の動作状態を表示する発光表示部を設けたことを特徴とする請求項１〜３のいずれかに記載の衛生洗浄装置。
【発明の詳細な説明】
【技術分野】
【０００１】
本発明は、人体を検知して、便蓋の開閉や脱臭装置の起動・停止などを自動制御する機能を備えた衛生洗浄装置に関する。
【背景技術】
【０００２】
近年、トイレの衛生洗浄装置においては多機能化が進み、使用者が便器に近づくと人体検知センサが検知して便蓋を自動的に開き、便座に着座した使用者が用足し後、立ち上がって便器から離れると、再び人体検知センサがそれを検知して自動的に便蓋が閉じる機能を備えたものが増えている。このような衛生洗浄装置においては、男子小用の際は、リモコン操作部を操作することによって便座を便蓋と同様に起立させて用を足すので、人体検知センサが便座で隠れてしまう。そこで、この状態においても、使用者が便器を離れたことを検知できるようにする手段を設ける必要がある。
【０００３】
このような問題を解決するため、便蓋が閉じられた状態で人体の接近を検知する第一の人体検知手段と、使用者が便座に着座していることを検知する着座検知手段と、便座が起立した状態において人体を検知する第二の身体検知手段とを備えた衛生洗浄装置（便座装置）が提案されている（例えば、特許文献１参照。）。
【０００４】
特許文献１記載の衛生洗浄装置（「便座装置」）は、図１６（ａ）に示すように、第一の人体センサ９３と、着座センサ９４と、第二の人体センサ９５とが一体化されたセンサユニット９０を備えている。そして、便蓋９１、便座９２が閉止状態にあるときは、第一の人体センサ９３が使用者の接近を検知して便蓋９１が自動的に開かれ、図１６（ｂ）に示す状態となる。この状態で使用者が便座９２に着座すると着座センサ９４が着座を検知し、用足し後に使用者が立ち去ると、第一の人体センサ９３及び着座センサ９４が非検知となり、便蓋９１が自動的に閉じられ、図１６（ａ）の状態に戻る。
【０００５】
一方、男子小用の際、リモコン操作部（図示せず）などを操作して、図１６（ｃ）に示すように、便座９２を便蓋９１と同様に起立させると、第一の人体センサ９３および着座センサ９４は便座９２で隠れるが、第二の人体センサ９５が現れて、用足し中の使用者を検知する。従って、用足し後に使用者が立ち去ると、第二の人体センサ９５がそれを検知して便蓋９１が自動的に閉じられ、図１６（ａ）の状態に戻る。
【０００６】
このように、特許文献１記載の衛生洗浄装置（「便座装置」）においては、２つの人体センサ９３，９５が設けられ、便座９１および便蓋９２の起伏姿勢に応じて、これらの人体センサ９３，９５を切り替えるため、男子小用の際においても、使用者の存在の有無を確実に検知して、便座９１および便蓋９２の閉止を行うことができる。
【０００７】
【特許文献１】特開２００４−８９６３１号公報
【発明の開示】
【発明が解決しようとする課題】
【０００８】
特許文献１記載の衛生洗浄装置（「便座装置」）の場合、複数のセンサ９３，９４，９５が必要であるため、これらをセンサユニット９０として一体化したとしても広い設置スペースを占有している。また、便蓋９１、便座９２の起伏姿勢に対応して複数のセンサ９３，９４，９５の動作状態を切り替える必要があるため、その制御手段が必要であり、装置の複雑化を招くとともに、小型化を阻む要因となっている。
【０００９】
本発明が解決しようとする課題は、使用者の接近、離隔を確実に検知することができ、構造の簡素化・小型化を図ることができる衛生洗浄装置を提供することにある。
【課題を解決するための手段】
【００１０】
本発明の衛生洗浄装置は、人体検知用投光部と、前記人体検知用投光部の反射光を受ける受光部とを有するセンサユニットをケーシングに備えた衛生洗浄装置において、前記センサユニットの検知範囲を移動させるため、前記センサユニットが便蓋の開閉動作および／または便座の開閉動作と連動して回動することを特徴とする。
【００１１】
このような構成とすれば、便蓋および／または便座の開閉動作と連動してセンサユニットが回動し、その検知範囲を移動させることが可能となるため、起立状態となった便蓋・便座によってセンサユニットの検知範囲が遮蔽されるのを回避することができる。従って、使用者の接近、離隔を確実に検知することができるようになる。なお、センサユニットに便座に着座した人体を検知する着座センサと衛生洗浄装置の前に立つ人体を検知する人体検知センサの両方を組み込むことで、起立状態となった便蓋・便座によって遮蔽されるセンサユニットに代わって機能する他のセンサユニットを設ける必要がなく、一つのセンサユニットで必要な検知機能を得ることができるため、構造の簡素化・小型化を図ることができる。
【００１２】
ここで、前記便蓋の開閉動作軸および／または前記便座の開閉動作軸と連動して前記センサユニットを回動させる伝達軸を設ければ、便蓋の開閉動作軸および／または便座の開閉動作軸と連動する伝達軸により前記センサユニットを回動させることができるため、使用態様に即した検知範囲を確実に設定することができる。さらに、便蓋および／または便座の開閉動作と連動してセンサユニットを回動させることができるので、駆動電源を必要としない構造となるため、省エネ・構造の簡素化・小型化を図ることができる。
【００１３】
この場合、前記センサユニットの回動範囲を、前記便蓋の単独開閉、前記便座の単独開閉、前記便座および前記便蓋の同時開閉のそれぞれの開閉動作態様に対応させて設定することが望ましい。このような構成とすれば、センサユニットの検知範囲は、日常的に反復される３通りの使用態様にそれぞれ適切に対応した状態に設定されるため、いずれの使用態様においても、使用者を確実に検知することができる。
【００１４】
また、前記センサユニットに、当該衛生洗浄装置の動作状態を表示する発光表示部を設ければ、センサユニットの回動と共にＬＥＤ表示部も回動可能となるため、起立状態となった便蓋や便座によるＬＥＤ表示部の遮蔽を回避することができ、当該衛生洗浄装置の動作状態を確実に目視確認することができる。
【発明の効果】
【００１５】
本発明により、使用者の接近、離隔を確実に検知することができ、構造の簡素化・小型化を図ることができる衛生洗浄装置を提供することができる。
【発明を実施するための最良の形態】
【００１６】
以下、図面に基づいて、本発明の実施の形態について説明する。図１は本発明の実施の形態である衛生洗浄装置を示す斜視図、図２は図１に示す衛生洗浄装置から便蓋および便座を離脱させた本体部を示す斜視図、図３は図２に示す本体部の正面図、図４は図３に示す本体部の一部切欠斜視図、図５は図３に示す本体部の一部切欠斜視図、図６は図１に示す衛生洗浄装置を構成するセンサユニットの斜視図、図７は図６におけるＡ−Ａ線断面図である。
【００１７】
図１に示すように、本実施形態の衛生洗浄装置１は、洋式の便器２３（図９参照）の上面後部に固定される本体部２と、本体部２に回動可能に取り付けられた便蓋３および便座４と、本体部２の正面から出没する洗浄ノズル５などを備えている。便蓋３は、図２，図３に示すように、本体部２のケーシング２ａの中央凸部２ｂの左側面から水平に突出する開閉動作軸６によって開閉され、便座４は、図３に示すように、中央凸部２ｂの右側面から水平に突出する開閉動作軸７によって開閉される。図４に示すように、開閉動作軸６，７は、中央凸部２ｂ内に配置されたモータ（図示せず）内蔵の駆動機構１６，１７によってそれぞれ駆動されている。中央凸部２ｂの正面中央付近に開設された開口部９にはフィルタ８が取り付けられ、その右側には、衛生洗浄装置１の動作状態を表示する表示部１０が設けられている。表示部１０は、図３に示すように、衛生洗浄装置１の動作状態に応じて点灯、消灯する複数の発光窓１０ａ〜１０ｅによって構成されている。
【００１８】
図４，図５に示すように、駆動機構１６，１７にはそれぞれの開閉動作軸６，７と反対方向に突出する伝達軸２６，２７が設けられ、それぞれの先端部にギア２６ａ，２７ａが固定されている。伝達軸２６，２７は、それぞれ開閉動作軸６，７と連動して回動する。また、中央凸部２ｂ内の駆動機構１６，１７に挟まれた部分には、円筒形のセンサユニット１１が、その両端部から軸心方向に突出する２つの支軸３６，３７を中心に回動可能に配置されている。センサユニット１１の支軸３６，３７はそれぞれ軸受け部材１２，１３によって回動可能に軸支され、図６に示すように、支軸３６，３７の先端部にはそれぞれ、開閉動作軸６，７のギア２６ａ，２７ａと噛合可能な扇形ギア３６ａ，３６ｂが固定されている。
【００１９】
図６，図７に示すように、センサユニット１１においては、両端面に支軸３６，３７を有する円筒形のケーシング１１ａ内に、センサ部基板１４と、表示部基板１５とが配置されている。センサ部基板１４は、人体検知用投光部１８と、着座検知用投光部１９と、人体検知用投光部１８および着座検知用投光部１９の反射光を受ける受光部２０とを備えている。表示部基板１５には、衛生洗浄装置１の動作状態に応じて点灯、消灯する複数の発光部２１ａ〜２１ｅが設けられ、ケーシング１１ａにおける、これらの発光部２１ａ〜２１ｅとそれぞれ対向する位置に、光透過可能な複数の開口部２２ａ〜２２ｅが開設されている。また、発光部２１ａ〜２１ｅは、それぞれＬＥＤ（発光ダイオード）によって構成されている。
【００２０】
発光部２１ａは衛生洗浄装置１が運転状態（待機状態）にあるとき点灯し、発光部２１ｂは便座４が加温状態にあるときに点灯し、発光部２１ｃは脱臭機構（図示せず）が作動しているときに点灯し、発光部２１ｄは衛生洗浄装置１が節電モードにあるときに点灯し、発光部２１ｅはセンサユニット１１が検知状態にあるとき点灯する。発光部２１ａ〜２１ｅから発された光はそれぞれケーシング１１ａの開口部２２ａ〜２２ｅを通過し、図３に示す表示部１０に設けられた発光窓１０ａ〜１０ｅを点灯させるようになっている。
【００２１】
次に、図８〜図１３を参照しながら、衛生洗浄装置１の機能について説明する。図８は図１に示す衛生洗浄装置の使用態様を示す正面図、図９は図１に示す衛生洗浄装置の使用態様を示す側面図、図１０〜図１３は図１に示す衛生洗浄装置の動作状態を示す模式図である。
【００２２】
衛生洗浄装置１は、使用状態に応じて、図８に示すように、３つの状態のいずれかをとることができる。即ち、図８（ａ）に示すように便座４（図示せず）および便蓋３が閉止した待機状態、図８（ｂ）に示すように便蓋３が開放して便座４が閉止した便座使用状態または図８（ｃ）に示すように便蓋３および便座４が開放した男子小用状態のいずれかをとることができる。
【００２３】
図８（ａ）に示すように便蓋３および便座４が閉止した待機状態にあるときは、図９（ａ）に示すように、センサユニット１１の人体検知用投光部１８は、支軸３６，３７を中心に水平から上方に３５度回動した領域（以下、「３５度領域」という。）を検知するように設定される。また、図８（ｂ）に示すように、便蓋３のみを開放して便座使用状態にセットすると、図９（ｂ）に示すように、センサユニット１１が図面上で支軸３６，３７を中心に時計方向に約５度回動し、人体検知用投光部１８および着座検知用投光部１９は支軸３６，３７を中心に水平から上方に３０度回動した領域（以下、「３０度領域」という。）を検知するように設定される。さらに、図８（ｃ）に示すように便蓋３および便座４を開放させて男子小用状態にセットすると、図９（ｃ）に示すように、センサユニット１１が図面上で支軸３６，３７を中心に時計方向にさらに約５度回動し、人体検知用投光部１８は、支軸３６，３７を中心に水平から上方に２５度回動した領域（以下、「２５度領域」という。）を検知するように設定される。
【００２４】
図８（ａ）および図９（ａ）に示す状態においては、図５に示すように、伝達軸２６のギア２６ａと、支軸３６の扇形ギア３６ａとは噛合状態にあり、一方、伝達軸２７のギア２７ａと、支軸３７の扇形ギア３７ａとは離れた状態にある。この状態を模式的に示したものが図１０（ａ），（ｄ）である。ここで、図１３（ａ）に示すように、便座使用者Ｗが便器２３に接近すると、３５度領域を検知する状態にあるセンサユニット１１の人体検知用投光部１８が発する光Ｌ１の反射光を受光部２０（図７参照）が検知して駆動機構１６（図５参照）を作動させ、便蓋３を図９（ｂ）に示す起立状態まで開放する。この過程においては、図１０（ａ）〜図１０（ｃ）に示すように、便蓋３の開放動作と連動して回動する伝達軸２６のギア２６ａが扇形ギア３６ａと噛合してこれを回動させるため、扇形ギア３６ａとともに支軸３６が回動し、センサユニット１１が図面上で時計方向に約５度回動して、人体検知用投光部１８および着座検知用投光部１９が３０度領域を検知する状態まで回動する。
【００２５】
このとき、図１０（ｄ）〜図１０（ｆ）に示すように、支軸３６の反対側にある支軸３７がセンサユニット１１とともに回動するため、支軸３７に固定された扇形ギア３７ａも図面上で時計方向に回動する。ところが、扇形ギア３６ａ，３７ａは、それぞれの中心角が約５度の扇形であって、ケーシング１１ａの軸心にある支軸３６，３７を中心に互いに約５度位相をずらせて配置されているため、便蓋３の開放動作の開始直後は、図１０（ｄ）に示すように、扇形ギア３７ａとギア２７ａとは離れており、便蓋３が起立していくと、やがて開放状態に達した時点で、図１０（ｆ）に示すように、扇形ギア３７ａとギア２７ａとが噛合する。この時点で、扇形ギア３６ａとギア２６ａは噛合しなくなるため、ギア２６ａは空回りしながら便蓋３を開いていく。
【００２６】
便蓋３が開放状態になると、図１３（ｂ）に示すように、使用者Ｗは便座４上に着座して用を足すことができる。この状態においては、人体検知用投光部１８および着座検知用投光部１９が発する光Ｌ１，Ｌ２の反射光を、センサユニット１１内の受光部２０（図７参照）が受光することにより、着座中の使用者Ｗを検知し続けている。用足し後、図１３（ｃ）に示すように、使用者Ｗが起立して、便器２３から離れていくと、人体検知用投光部１８および着座検知用投光部１９が発する光Ｌ１，Ｌ２の反射光が無くなったことを受光部２０が検知して、駆動機構１６を前述と逆方向に作動させて、便蓋３が自動的に閉止される。
【００２７】
次に、図１３（ｄ）に示すように、男性の使用者Ｍが小用を足すため便器２３に接近すると、便座使用時と同様、３５度領域を検知する状態にあるセンサユニット１１がそれを検知して駆動機構１６（図５参照）を作動させ便蓋３を図９（ｂ）に示す状態まで開く。この後、図１３（ｅ）に示すように、使用者Ｍが操作部２４を操作すると、駆動機構１７が作動して、図１３（ｆ）に示すように、便座４が開放状態まで起立する。
【００２８】
便蓋３が開放した後、便座４が開放状態まで起立する過程においては、図１１（ｄ）〜図１１（ｆ）に示すように、開閉動作軸７（図３参照）と連動する伝達軸２７とともにギア２７ａが回動し、これと噛合する扇形ギア３７ａおよび支軸３７が図面上で時計方向に回動するため、センサユニット１１も支軸３７を中心に同方向に約５度回動し、人体検知用投光部１８および着座検知用投光部１９が２５度領域を検知する状態まで回動する。このとき、図１１（ａ）〜図１１（ｃ）に示すように、センサユニット１１の回動に伴って支軸３６および扇形ギア３６ａも図面上で時計方向に回動する。この過程においては、図１１（ａ）に示すように、回動開始前、ギア２６ａに噛合していた扇形ギア３６ａは、その中心角が約５度であるため、当該扇形ギア３６ａの回動により、図１１（ｂ）〜図１１（ｃ）に示すように、やがてギア２６ａから離れていくため、起立状態にある便蓋３は回動の影響を受けることなく、そのままの状態を保つ。
【００２９】
便蓋３および便座４の両方が起立して、図９（ｃ）に示す開放状態になると、図１３（ｆ）に示すように、使用者Ｍは便器２３に向かって小用を足すことができる。この状態においては、人体検知用投光部１８が発する光Ｌ１の反射光をセンサユニット１１内の受光部２０（図７参照）が受光することにより、小用中の使用者Ｍを検知し続けている。小用を終えた使用者Ｍが、図１３（ｃ）に示すように、便器２３から離れていくと、人体検知用投光部１８が発する光Ｌ１の反射光が無くなったことを受光部２０（図７参照）が検知して、駆動機構１６を前述と逆方向に作動させ、便蓋３を自動的に閉止する。
【００３０】
次に、便蓋３および便座４を同時に開放動作させた場合のセンサユニット１１の検知範囲の変化について説明する。閉止状態にある便蓋３および便座４を同時に開放させると、図１２（ａ）に示すように、便蓋３の開放動作と連動して回動する伝達軸２６のギア２６ａと噛合している扇形ギア３６ａが回動する。これによって扇形ギア３６ａとともに支軸３６およびセンサユニット１１が図面上で時計方向に約５度回動し、センサユニット１１の検知範囲が３５度領域から３０度領域に変化する。この過程においては、図１２（ｄ）〜図１２（ｅ）に示すように、センサユニット１１の回動により支軸３７および扇形ギア３７ａも図面上で時計方向に回動していき、やがて、扇形ギア３７ａは伝達軸２７のギア２７ａと噛合する。
【００３１】
この後、さらに、便蓋３および便座４を起立させていくと、扇形ギア３６ａ，３７ａの中心角はいずれも約５度であるため、図１２（ｂ）〜図１２（ｃ）に示すように、扇形ギア３６ａはギア２６ａから離れるとともに、図１２（ｅ）〜１２（ｆ）に示すように、ギア２７ａと噛合した扇形ギア３７ａが約５度時計方向に回動し、センサユニット１１の検知範囲を３０度領域から２５度領域へ変化させ、図１３（ｆ）に示す、男子小用状態に設定される。
【００３２】
このように、便蓋３および便座４を同時に開放させた場合、最初にギア２６ａと扇形ギア３６ａとが噛合してセンサユニット１１の検知範囲を３５度領域から３０度領域まで変化させ、その後、ギア２７ａと扇形ギア３７ａとが噛合してセンサユニット１１の検知範囲を３０度領域から２５度領域まで変化させるため、円滑に男子小用状態へ移行させることができる。また、図１３（ｇ）に示すように、小用を終えた使用者Ｍが便器２３から離れると、センサユニット１１がそれを検知して駆動機構１６，１７を作動させるため、便座４および便蓋３が自動的に閉止される。
【００３３】
以上のように、衛生洗浄装置１は、便蓋３および／または便座４の開閉動作と連動してセンサユニット１１が回動し、その検知範囲を移動させることができるため、起立状態となった便蓋３・便座４によってセンサユニット１１の検知範囲が遮蔽されるのを回避することができ、使用者Ｍ，Ｗの接近、離隔を確実に検知することができる。また、従来のように、起立状態となった便蓋・便座によって遮蔽されるセンサユニットに代わって機能する他のセンサユニットを設ける必要がなく、一つのセンサユニットで必要な検知機能を得ることができるため、構造の簡素化・小型化を図ることができる。
【００３４】
なお、センサユニット１１の検知範囲は、前述した３５度領域、３０度領域あるいは２５度領域に限定するものではないので、使用条件に応じて適切な検知範囲に設定することができる。また、扇形ギア３６ａ，３７ａの中心角は５度に限定するものではなく、支軸３６，３７を中心とする扇形ギア３６ａ，３７ａの配置角度も約５度に限定するものではないので、使用条件に応じて適切な角度とすることができる。
【００３５】
また、図３〜図５に示したように、便蓋３の開閉動作軸６と連動して回動することによりギア２６ａおよび扇形ギア３６ａを介してセンサユニット１１を回動させる伝達軸２６と、便座４の開閉動作軸７と連動して回動することによりギア２７ａおよび扇形ギア３７ａを介してセンサユニット１１を回動させる伝達軸２７とを設けているため、センサユニット１１を、使用態様に即した検知範囲に正確に設定することができる。また、センサユニット１１を、便蓋３及び便座４の開閉動作軸に連動させて回動させているため、センサユニット回動専用の駆動機構を持つ必要がなくなるので、装置の小型化を図ることができる。
【００３６】
さらに、図１０〜図１２に示すように、センサユニット１１の検知範囲の変化量（変化角度）は、便蓋３の単独開閉、便座４の単独開閉、便蓋３および便座４の同時開閉という３つの使用態様に応じて異なっているため、日常的に反復される３通りの使用態様に適切に対応した状態に設定されることとなり、いずれの使用態様においても、使用者Ｍ，Ｗを確実に検知することができる。
【００３７】
また、衛生洗浄装置１の動作状態を表示するため、センサユニット１１に複数の発光部２１ａ〜２１ｅおよび複数の開口部２２ａ〜２２ｅを設けている。従って、センサユニット１１の回動と共にこれらの発光部２１ａ〜２１ｅおよび複数の開口部２２ａ〜２２ｅも回動可能である。このため、起立状態となった便蓋３や便座４が、表示部１０を構成する発光部２１ａ〜２１ｅおよび複数の開口部２２ａ〜２２ｅを遮蔽するのを回避することができ、衛生洗浄装置１の動作状態を確実に目視確認することができる。
【００３８】
次に、図１４，図１５を参照して、センサユニットに関するその他の実施の形態について説明する。図１４はその他の実施の形態であるセンサユニットを示す斜視図、図１５は図１４におけるＢ−Ｂ線断面図である。なお、図１４，図１５に示すセンサユニット３１において、図６，図７で示したセンサユニット１１の構成部分と同じ構造、機能を有する部分は図６，図７中の符号と同じ符合を付して説明を省略する。
【００３９】
このセンサユニット３１においては、両端面に支軸３６，３７を有する円筒形のケーシング３１ａ内にセンサ部基板１４が配置され、センサ部基板１４は、人体検知用投光部１８と、着座検知用投光部１９と、人体検知用投光部１８および着座検知用投光部１９の反射光を受ける受光部２０とを備えている。センサユニット３１は、図６，図７に示すセンサユニット１１から表示部基板１５および開口部２２ａ〜２２ｅを省いているため、さらなる構造の簡素化、小型化を図ることができる。
【産業上の利用可能性】
【００４０】
本発明の衛生洗浄装置は、一般家庭のトイレなどにおいて広く利用することができる。
【図面の簡単な説明】
【００４１】
【図１】本発明の実施の形態である衛生洗浄装置を示す斜視図である。
【図２】図１に示す衛生洗浄装置から便蓋および便座を離脱させた本体部を示す斜視図である。
【図３】図２に示す本体部の正面図である。
【図４】図３に示す本体部の一部切欠斜視図である。
【図５】図３に示す本体部の一部切欠斜視図である。
【図６】図１に示す衛生洗浄装置を構成するセンサユニットの斜視図である。
【図７】図６におけるＡ−Ａ線断面図である。
【図８】図１に示す衛生洗浄装置の使用態様を示す正面図である。
【図９】図１に示す衛生洗浄装置の使用態様を示す側面図である。
【図１０】図１に示す衛生洗浄装置の動作状態を示す模式図である。
【図１１】図１に示す衛生洗浄装置の動作状態を示す模式図である。
【図１２】図１に示す衛生洗浄装置の動作状態を示す模式図である。
【図１３】図１に示す衛生洗浄装置の動作状態を示す模式図である。
【図１４】センサユニットに関するその他の実施の形態を示す斜視図である。
【図１５】図１４におけるＢ−Ｂ線断面図である。
【図１６】従来の衛生洗浄装置の動作状態を示す模式図である。
【符号の説明】
【００４２】
１  衛生洗浄装置
２  本体部
２ａ，１１ａ，３１ａ  ケーシング
２ｂ  中央凸部
３  便蓋
４  便座
５  洗浄ノズル
６，７  開閉動作軸
８  フィルタ
９，２２ａ〜２２ｅ  開口部
１０  表示部
１０ａ〜１０ｅ  発光窓
１１，３１  センサユニット
１２，１３  軸受け部材
１４  センサ部基板
１５  表示部基板
１６，１７  駆動機構
１８  人体検知用投光部
１９  着座検知用投光部
２０  受光部
２１ａ〜２１ｅ  発光部
２３  便器
２４  操作部
２６，２７  伝達軸
２６ａ，２７ａ  ギア
３６，３７  支軸
３６ａ，３７ａ  扇形ギア
【図１】
2007082708.tif 000003
【図２】
2007082708.tif 000004
【図３】
2007082708.tif 000005
【図４】
2007082708.tif 000006
【図５】
2007082708.tif 000007
【図６】
2007082708.tif 000008
【図７】
2007082708.tif 000009
【図８】
2007082708.tif 000010
【図９】
2007082708.tif 000011
【図１０】
2007082708.tif 000012
【図１１】
2007082708.tif 000013
【図１２】
2007082708.tif 000014
【図１３】
2007082708.tif 000015
【図１４】
2007082708.tif 000016
【図１５】
2007082708.tif 000017
【図１６】
2007082708.tif 000018